(57)【要約】【課題】交換部品の種類を識別することができる画像形成システムを提供する。【解決手段】画像形成システムは、第１ドラムユニット１１０および第１現像ユニット１２０を含む第１プロセスカートリッジ１００と、第２ドラムユニットおよび第２現像ユニットを含む第２プロセスカートリッジと、第１プロセスカートリッジ１００および第２プロセスカートリッジのうちの一方が選択的に着脱可能な画像形成装置本体とを備える。第１現像ユニット１２０の第１カラー３１０の長さＬ１１と、第２現像ユニットの第２カラーの長さとは、互いに異なり、第１ドラムユニット１１０の第１凹部３２０の幅Ｌ１２と、第２ドラムユニットの第２凹部の幅とは、互いに異なる。第１ドラムユニット１１０の第１感光ドラム１１１の回転軸線Ｃ１１から第１押圧部材３３０までの距離Ｌ１３と、第２ドラムユニットの第２感光ドラムの回転軸線から第２押圧部材までの距離とは、互いに異なる。【選択図】図３
2018097293.tif 000002
【特許請求の範囲】
【請求項１】
第１プロセスカートリッジであって、
第１感光ドラムと、第１ガイド突起と、第１凹部と、を含む第１ドラムユニットと、
前記第１ドラムユニットに装着可能な第１現像ユニットであって、第１回転軸を有する第１現像ローラと、前記第１回転軸の端部を覆う第１カラーであって前記第１現像ユニットを前記第１ドラムユニットに装着するときに前記第１凹部に嵌まる第１カラーと、を含む第１現像ユニットと、
を含む第１プロセスカートリッジと、
第２プロセスカートリッジであって、
第２感光ドラムと、第２ガイド突起と、第２凹部と、を含む第２ドラムユニットと、
前記第２ドラムユニットに装着可能な第２現像ユニットであって、第２回転軸を有する第２現像ローラと、前記第２回転軸の端部を覆う第２カラーであって前記第２現像ユニットを前記第２ドラムユニットに装着するときに前記第２凹部に嵌まる第２カラーと、を含む第２現像ユニットと、
を含む第２プロセスカートリッジと、
前記第１プロセスカートリッジおよび前記第２プロセスカートリッジのうちの一方が選択的に着脱可能な画像形成装置本体であって、前記第１プロセスカートリッジの前記第１ガイド突起および前記第２プロセスカートリッジの前記第２ガイド突起をガイドするガイドを含む画像形成装置本体と、を備え、
前記第１カラーおよび前記第２カラーは、前記第１プロセスカートリッジまたは前記第２プロセスカートリッジが前記画像形成装置本体に装着された状態において、前記第１現像ローラまたは前記第２現像ローラの回転軸方向の中央に対して前記回転軸方向の同じ側に設けられ、
前記第１現像ローラの回転軸線と直交する方向における前記第１カラーの長さと、前記第２現像ローラの回転軸線と直交する方向における前記第２カラーの長さとは、互いに異なり、
前記第１凹部の幅と、前記第２凹部の幅とは、互いに異なり、
前記第１ドラムユニットは、さらに、前記第１ドラムユニットに装着された状態の前記第１現像ユニットを前記第１感光ドラムに向けて押圧する第１押圧部材を含み、
前記第１現像ユニットは、さらに、前記第１押圧部材により押圧される第１被押圧部を含み、
前記第２ドラムユニットは、さらに、前記第２ドラムユニットに装着された状態の前記第２現像ユニットを前記第２感光ドラムに向けて押圧する第２押圧部材を含み、
前記第２現像ユニットは、さらに、前記第２押圧部材により押圧される第２被押圧部を含み、
前記第１感光ドラムから前記第１押圧部材までの距離と、前記第２感光ドラムから前記第２押圧部材までの距離とは、互いに異なることを特徴とする画像形成システム。
【請求項２】
前記第１現像ローラの回転軸線と直交する方向における前記第１カラーの長さは、前記第２現像ローラの回転軸線と直交する方向における前記第２カラーの長さよりも小さく、
前記第１凹部の幅は、前記第２凹部の幅よりも小さいことを特徴とする請求項１に記載の画像形成システム。
【請求項３】
前記第１カラーは、筒状の形状を有することを特徴とする請求項１または請求項２に記載の画像形成システム。
【請求項４】
前記第２カラーは、筒状の形状を有することを特徴とする請求項１から請求項３のいずれか１項に記載の画像形成システム。
【請求項５】
前記第２押圧部材が前記第２被押圧部を押圧する方向における前記第２押圧部材の長さは、前記第１押圧部材が前記第１被押圧部を押圧する方向における前記第１押圧部材の長さよりも大きいことを特徴とする請求項１から請求項４のいずれか１項に記載の画像形成システム。
【請求項６】
前記第１押圧部材は、第１押圧バネと、前記第１押圧バネに押圧されて前記第１現像ユニットの前記第１被押圧部に当接する第１ブロックと、を含むことを特徴とする請求項１から請求項５のいずれか１項に記載の画像形成システム。
【請求項７】
前記第２押圧部材は、第２押圧バネと、前記第２押圧バネに押圧されて前記第２現像ユニットの前記第２被押圧部に当接する第２ブロックと、を含むことを特徴とする請求項１から請求項６のいずれか１項に記載の画像形成システム。
【請求項８】
前記第１現像ユニットは、さらに、トナーを収容可能な第１収容部を含み、
前記第２プロセスカートリッジは、前記第２現像ユニットに着脱可能なトナーカートリッジを含み、
前記トナーカートリッジは、
トナーを収容可能な第２収容部を形成するとともに、前記第２収容部内のトナーを前記第２現像ユニットに供給するための開口が設けられた筐体と、
前記第２収容部内に収容されたトナーを攪拌するためのアジテータと、を含むことを特徴とする請求項１から請求項７のいずれか１項に記載の画像形成システム。
【請求項９】
前記第１プロセスカートリッジは、前記第１現像ユニットを前記第１ドラムユニットにロックするための第１ロック部材を含み、
前記第２プロセスカートリッジは、前記トナーカートリッジを前記第２現像ユニットにロックするための第２ロック部材を含むことを特徴とする請求項８に記載の画像形成システム。
【請求項１０】
前記第１感光ドラムから前記第１ロック部材までの距離と、前記第２感光ドラムから前記第２ロック部材までの距離とは、互いに異なることを特徴とする請求項９に記載の画像形成システム。
【請求項１１】
前記第１ドラムユニットおよび前記第２ドラムユニットは、前記第１感光ドラムまたは前記第２感光ドラムを支持するフレームの少なくとも一部を構成するフレーム部材であって、前記第１押圧部材および前記第２押圧部材のうちの一方を選択的に取付可能な押圧部材取付部が設けられたフレーム部材を含むことを特徴とする請求項１から請求項１０のいずれか１項に記載の画像形成システム。
【請求項１２】
前記第１ドラムユニットは、前記第１感光ドラムの回転軸線に沿って延びる第１ドラムシャフトを有し、
前記第２ドラムユニットは、前記第２感光ドラムの回転軸線に沿って延びる第２ドラムシャフトを有し、
前記第１ドラムシャフトから前記第１ガイド突起までの距離と、前記第２ドラムシャフトから前記第２ガイド突起までの距離とは、等しいことを特徴とする請求項１から請求項１１のいずれか１項に記載の画像形成システム。
【発明の詳細な説明】
【技術分野】
【０００１】
本発明は、第１プロセスカートリッジおよび第２プロセスカートリッジのうちの一方が選択的に着脱可能な画像形成装置本体を備える画像形成システムに関する。
【背景技術】
【０００２】
従来、画像形成装置本体と、画像形成装置本体に対して着脱可能な交換部品とを含む画像形成システムが知られている。このような画像形成システムとして、画像形成装置本体と、画像形成装置本体に着脱可能なプロセスカートリッジとを備え、画像形成装置本体の開閉部材に凸部を設けるとともに、プロセスカートリッジに凸部がはまるくぼみ部を設けて、画像形成装置本体に適合するプロセスカートリッジの装着を許容するとともに、画像形成装置本体に適合しないプロセスカートリッジの装着を、凸部の干渉によって規制するレーザビームプリンタが知られている（例えば、特許文献１参照）。
【先行技術文献】
【特許文献】
【０００３】
【特許文献１】特開平１０−２２８２２２号公報
【発明の概要】
【発明が解決しようとする課題】
【０００４】
ところで、画像形成システムにおいては、上記した特許文献１に記載のレーザビームプリンタのように、複数種類の交換部品の種類を識別可能であることが要求される場合がある。
【０００５】
そこで、本発明は、交換部品の種類を識別することができる画像形成システムを提供することを目的とする。
【課題を解決するための手段】
【０００６】
前記した目的を達成するため、本発明の画像形成システムは、第１プロセスカートリッジと、第２プロセスカートリッジと、画像形成装置本体と、を備える。
第１プロセスカートリッジは、第１ドラムユニットと、第１現像ユニットと、を含む。
第１ドラムユニットは、第１感光ドラムと、第１ガイド突起と、第１凹部と、を含む。
第１現像ユニットは、第１ドラムユニットに装着可能な第１現像ユニットであって、第１回転軸を有する第１現像ローラと、第１回転軸の端部を覆う第１カラーであって第１現像ユニットを第１ドラムユニットに装着するときに第１凹部に嵌まる第１カラーと、を含む。
第２プロセスカートリッジは、第２ドラムユニットと、第２現像ユニットと、を含む。
第２ドラムユニットは、第２感光ドラムと、第２ガイド突起と、第２凹部と、を含む。
第２現像ユニットは、第２ドラムユニットに装着可能な第２現像ユニットであって、第２回転軸を有する第２現像ローラと、第２回転軸の端部を覆う第２カラーであって第２現像ユニットを第２ドラムユニットに装着するときに第２凹部に嵌まる第２カラーと、を含む。
画像形成装置本体は、第１プロセスカートリッジおよび第２プロセスカートリッジのうちの一方が選択的に着脱可能な画像形成装置本体であって、第１プロセスカートリッジの第１ガイド突起および第２プロセスカートリッジの第２ガイド突起をガイドするガイドを含む。
第１カラーおよび第２カラーは、第１プロセスカートリッジまたは第２プロセスカートリッジが画像形成装置本体に装着された状態において、第１現像ローラまたは第２現像ローラの回転軸方向の中央に対して回転軸方向の同じ側に設けられている。
第１現像ローラの回転軸線と直交する方向における第１カラーの長さと、第２現像ローラの回転軸線と直交する方向における第２カラーの長さとは、互いに異なる。
第１凹部の幅と、第２凹部の幅とは、互いに異なる。
第１ドラムユニットは、さらに、第１ドラムユニットに装着された状態の第１現像ユニットを第１感光ドラムに向けて押圧する第１押圧部材を含む。
第１現像ユニットは、さらに、第１押圧部材により押圧される第１被押圧部を含む。
第２ドラムユニットは、さらに、第２ドラムユニットに装着された状態の第２現像ユニットを第２感光ドラムに向けて押圧する第２押圧部材を含む。
第２現像ユニットは、さらに、第２押圧部材により押圧される第２被押圧部を含む。
第１感光ドラムから第１押圧部材までの距離と、第２感光ドラムから第２押圧部材までの距離とは、互いに異なる。
【０００７】
このような構成によれば、例えば、第２現像ユニットを第１ドラムユニットに装着しようとしたときには、第２カラーと第１凹部の開口付近とが干渉して、第２カラーを第１凹部に嵌めることができない構成を実現することができる。これにより、第２現像ユニットの第１ドラムユニットへの誤装着を防ぐことができる。また、例えば、第１現像ユニットを第２ドラムユニットに装着しようとしたときには、第１現像ユニットと第２押圧部材とが干渉して、第１現像ユニットを第２ドラムユニットに装着することができない構成を実現することができる。これにより、第１現像ユニットの第２ドラムユニットへの誤装着を防ぐことができる。すなわち、上記構成によれば、カラーと押圧部材を利用して、交換部品の種類を識別することができる。
【０００８】
前記した画像形成システムにおいて、第１現像ローラの回転軸線と直交する方向における第１カラーの長さは、第２現像ローラの回転軸線と直交する方向における第２カラーの長さよりも小さく、第１凹部の幅は、第２凹部の幅よりも小さい構成とすることができる。
【０００９】
これによれば、第２現像ユニットを第１ドラムユニットに装着しようとしたときに、第２カラーと第１凹部の開口付近とが干渉し、第２カラーを第１凹部に嵌めることができないので、第２現像ユニットの第１ドラムユニットへの誤装着を防ぐことができる。
【００１０】
前記した画像形成システムにおいて、第１カラーは、筒状の形状を有する構成とすることができる。
【００１１】
前記した画像形成システムにおいて、第２カラーは、筒状の形状を有する構成とすることができる。
【００１２】
前記した画像形成システムにおいて、第２押圧部材が第２被押圧部を押圧する方向における第２押圧部材の長さは、第１押圧部材が第１被押圧部を押圧する方向における第１押圧部材の長さよりも大きい構成とすることができる。
【００１３】
これによれば、第１現像ユニットを第２ドラムユニットに装着しようとしたときに、第１現像ユニットと第２押圧部材とが干渉し、第１現像ユニットを第２ドラムユニットに装着することができないので、第１現像ユニットの第２ドラムユニットへの誤装着を防ぐことができる。
【００１４】
前記した画像形成システムにおいて、第１押圧部材は、第１押圧バネと、第１押圧バネに押圧されて第１現像ユニットの第１被押圧部に当接する第１ブロックと、を含む構成とすることができる。
【００１５】
前記した画像形成システムにおいて、第２押圧部材は、第２押圧バネと、第２押圧バネに押圧されて第２現像ユニットの第２被押圧部に当接する第２ブロックと、を含む構成とすることができる。
【００１６】
前記した画像形成システムにおいて、第１現像ユニットは、さらに、トナーを収容可能な第１収容部を含み、第２プロセスカートリッジは、第２現像ユニットに着脱可能なトナーカートリッジを含み、トナーカートリッジは、トナーを収容可能な第２収容部を形成するとともに、第２収容部内のトナーを第２現像ユニットに供給するための開口が設けられた筐体と、第２収容部内に収容されたトナーを攪拌するためのアジテータと、を含む構成とすることができる。
【００１７】
前記した画像形成システムにおいて、第１プロセスカートリッジは、第１現像ユニットを第１ドラムユニットにロックするための第１ロック部材を含み、第２プロセスカートリッジは、トナーカートリッジを第２現像ユニットにロックするための第２ロック部材を含む構成とすることができる。
【００１８】
前記した画像形成システムにおいて、第１感光ドラムから第１ロック部材までの距離と、第２感光ドラムから第２ロック部材までの距離とは、互いに異なる構成とすることができる。
【００１９】
これによれば、最適な位置にロック部材を配置することができる。
【００２０】
前記した画像形成システムにおいて、第１ドラムユニットおよび第２ドラムユニットは、第１感光ドラムまたは第２感光ドラムを支持するフレームの少なくとも一部を構成するフレーム部材であって、第１押圧部材および第２押圧部材のうちの一方を選択的に取付可能な押圧部材取付部が設けられたフレーム部材を含む構成とすることができる。
【００２１】
これによれば、第１ドラムユニットと第２ドラムユニットとの間でフレーム部材の少なくとも一部を共通化することができる。
【００２２】
前記した画像形成システムにおいて、第１ドラムユニットは、第１感光ドラムの回転軸線に沿って延びる第１ドラムシャフトを有し、第２ドラムユニットは、第２感光ドラムの回転軸線に沿って延びる第２ドラムシャフトを有し、第１ドラムシャフトから第１ガイド突起までの距離と、第２ドラムシャフトから第２ガイド突起までの距離とは、等しい構成とすることができる。
【発明の効果】
【００２３】
本発明によれば、交換部品の種類を識別することができる。
【図面の簡単な説明】
【００２４】
【図１】画像形成装置本体と第１プロセスカートリッジの概略構成を示す図である。
【図２】画像形成装置本体と第２プロセスカートリッジの概略構成を示す図である。
【図３】第１プロセスカートリッジを現像ローラの回転軸方向一方側から見た側面図である。
【図４】第２プロセスカートリッジを現像ローラの回転軸方向一方側から見た側面図である。
【図５】第１現像ユニットの斜視図である。
【図６】第１ドラムユニットの斜視図（ａ）と、第１押圧部材付近の拡大図（ｂ）である。
【図７】第２現像ユニットの斜視図である。
【図８】第２ドラムユニットの斜視図（ａ）と、第２押圧部材付近の拡大図（ｂ）である。
【図９】プロセスカートリッジの現像ローラ付近を回転軸方向他方側から見た側面図である。
【図１０】第１押圧部材および第１被押圧部の構成を示す図（ａ）と、第２押圧部材および第２被押圧部の構成を示す図（ｂ）である。
【図１１】ロック位置にある第１ロック部材を示す図（ａ）と、解除位置にある第１ロック部材を示す図（ｂ）である。
【図１２】ロック位置にある第２ロック部材を示す図（ａ）と、解除位置にある第２ロック部材を示す図（ｂ）である。
【発明を実施するための形態】
【００２５】
以下、発明の一実施形態について、適宜図面を参照しながら詳細に説明する。
図１および図２に示すように、本実施形態に係る画像形成システムＡは、画像形成装置本体の一例としてのレーザプリンタ１と、第１プロセスカートリッジ１００と、第２プロセスカートリッジ２００とを主に備えている。
【００２６】
レーザプリンタ１は、図１に示す第１プロセスカートリッジ１００および図２に示す第２プロセスカートリッジ２００のうちの一方が選択的に着脱可能な構成である。具体的には、レーザプリンタ１は、第１プロセスカートリッジ１００を取り外した上で、第２プロセスカートリッジ２００を着脱することができる。また、レーザプリンタ１は、第２プロセスカートリッジ２００を取り外した上で、第１プロセスカートリッジ１００を着脱することができる。
【００２７】
図１に示すように、レーザプリンタ１は、本体筐体２と、給紙部３と、露光装置４と、定着装置５とを主に備えている。
【００２８】
給紙部３は、用紙Ｓを収容可能な給紙トレイ３１と、圧板３２と、給紙機構３３とを主に備えている。給紙部３は、給紙トレイ３１内に収容された用紙Ｓを、圧板３２により給紙機構３３に寄せ、給紙機構３３により第１プロセスカートリッジ１００（または第２プロセスカートリッジ２００）に供給する。
【００２９】
露光装置４は、図示しない光源装置、ポリゴンミラー、レンズ、反射鏡などを備えている。露光装置４は、光源装置から出射される光ビーム（一点鎖線参照）を第１感光ドラム１１１（または第２感光ドラム２１１）の表面で高速走査する。これにより、露光装置４は、第１感光ドラム１１１（または第２感光ドラム２１１）の表面を露光する。
【００３０】
定着装置５は、加熱ローラ５１と、加圧ローラ５２とを主に備えている。定着装置５は、トナー像が転写された用紙Ｓが加熱ローラ５１と加圧ローラ５２の間を通過するときに、トナー像を用紙Ｓに熱定着する。トナー像が熱定着された用紙Ｓは、排紙ローラ２３により排紙トレイ２２に排出される。
【００３１】
第１プロセスカートリッジ１００は、第１ドラムユニット１１０と、第１現像ユニット１２０とを備えている。第１ドラムユニット１１０は、第１感光ドラム１１１と、帯電器１１２と、転写ローラ１１３とを主に有している。
【００３２】
第１現像ユニット１２０は、第１ドラムユニット１１０に装着可能な構成である。詳しくは、第１現像ユニット１２０は、第１ドラムユニット１１０に着脱可能な構成である。第１現像ユニット１２０は、第１現像ローラ１２１と、供給ローラ１２２と、層厚規制ブレード１２３と、トナーを収容可能な第１収容部１２４と、アジテータ１２５とを主に有している。
【００３３】
一方、図２に示すように、第２プロセスカートリッジ２００は、第２ドラムユニット２１０と、第２現像ユニット２２０と、トナーカートリッジ２３０とを備えている。第２ドラムユニット２１０は、第２感光ドラム２１１と、帯電器２１２と、転写ローラ２１３とを主に有している。第２感光ドラム２１１と第１感光ドラム１１１は、共通部品である。
【００３４】
第２現像ユニット２２０は、第２ドラムユニット２１０に装着可能な構成である。第２現像ユニット２２０は、第２現像ローラ２２１と、供給ローラ２２２と、層厚規制ブレード２２３と、トナーホッパ２２４と、アジテータ２２５とを主に有している。第２現像ローラ２２１と第１現像ローラ１２１は、共通部品である。
【００３５】
トナーカートリッジ２３０は、第２現像ユニット２２０に着脱可能な構成である。トナーカートリッジ２３０は、筐体２３１と、アジテータ２３５とを主に有している。筐体２３１は、トナーを収容可能な第２収容部２３４を形成している。また、筐体２３１には、第２収容部２３４内のトナーを、第２現像ユニット２２０のトナーホッパ２２４に供給するための開口２３２が設けられている。アジテータ２３５は、第２収容部２３４内に配置されている。アジテータ２３５は、回転したときに第２収容部２３４内に収容されたトナーを攪拌する。
【００３６】
レーザプリンタ１に装着された第１プロセスカートリッジ１００または第２プロセスカートリッジ２００は、帯電器１１２，２１２により感光ドラム１１１，２１１の表面を帯電する。その後、露光装置４が、感光ドラム１１１，２１１の表面を露光することで、静電潜像を形成する。
【００３７】
第１プロセスカートリッジ１００は、第１収容部１２４内のトナーを、アジテータ１２５により攪拌しながら、供給ローラ１２２を介して第１現像ローラ１２１に供給する。一方、第２プロセスカートリッジ２００は、第２収容部２３４内のトナーを、アジテータ２３５により攪拌しながら、開口２３２を通してトナーホッパ２２４内に供給する。さらに、第２プロセスカートリッジ２００は、トナーホッパ２２４内に供給されたトナーを、アジテータ２２５により攪拌しながら、供給ローラ２２２を介して第２現像ローラ２２１に供給する。
【００３８】
トナーを現像ローラ１２１，２２１に供給した後、プロセスカートリッジ１００，２００は、層厚規制ブレード１２３，２２３によりトナーを現像ローラ１２１，２２１の表面で一定厚さの薄層とする。そして、プロセスカートリッジ１００，２００は、現像ローラ１２１，２２１に担持されたトナーを、感光ドラム１１１，２１１に形成された静電潜像に供給する。これにより、プロセスカートリッジ１００，２００は、静電潜像を可視像化して感光ドラム１１１，２１１にトナー像を形成する。その後、プロセスカートリッジ１００，２００は、給紙部３から供給された用紙Ｓが感光ドラム１１１，２１１と転写ローラ１１３，２１３の間を通過するときに、感光ドラム１１１，２１１に形成されたトナー像を用紙Ｓに転写する。
【００３９】
画像形成システムＡは、図３および図４に示すように、干渉機構１０をさらに備えている。干渉機構１０は、第１プロセスカートリッジ１００を構成する第１現像ユニット１２０の一部と、第２プロセスカートリッジ２００を構成する第２ドラムユニット２１０の一部との干渉により、第１現像ユニット１２０を第２ドラムユニット２１０に装着不能とする機構である。また、干渉機構１０は、第２プロセスカートリッジ２００を構成する第２現像ユニット２２０の一部と、第１プロセスカートリッジ１００を構成する第１ドラムユニット１１０の一部との干渉により、第２現像ユニット２２０を第１ドラムユニット１１０に装着不能とする機構である。
【００４０】
具体的には、干渉機構１０は、図３に示す第１カラー３１０と、第１凹部３２０と、第１押圧部材３３０と、第１被押圧部３４０と、図４に示す第２カラー４１０と、第２凹部４２０と、第２押圧部材４３０と、第２被押圧部４４０とを含んで構成されている。なお、以下の説明では、現像ローラ１２１，２２１の回転軸方向（回転軸１２１Ａ，２２１Ａが延びる方向）を単に「回転軸方向」という。
【００４１】
図５に示すように、第１カラー３１０は、第１現像ユニット１２０に設けられている。また、図７に示すように、第２カラー４１０は、第２現像ユニット２２０に設けられている。カラー３１０，４１０は、現像ユニット１２０，２２０の回転軸方向の一方側から回転軸方向外側に突出している。
【００４２】
ここで、現像ユニット１２０，２２０は、現像フレーム１４０，２４０を有している。現像フレーム１４０，２４０は、現像ローラ１２１，２２１などを回転可能に支持するフレーム本体１４１，２４１と、ギヤ機構１５０，２５０の一部を覆うギヤカバー１４２，２４２と、軸カバー１４３，２４３とを有している。
【００４３】
ギヤ機構１５０は、第１現像ローラ１２１、供給ローラ１２２およびアジテータ１２５に駆動力を伝達する機構である。また、ギヤ機構２５０は、第２現像ローラ２２１、供給ローラ２２２、アジテータ２２５、および、トナーカートリッジ２３０のアジテータ２３５に駆動力を伝達する機構である。ギヤ機構１５０，２５０は、レーザプリンタ１に設けられる駆動源から駆動力が入力されるカップリング１５１，２５１を有している。
【００４４】
カラー３１０，４１０は、軸カバー１４３，２４３に設けられている。第１カラー３１０は、回転軸方向一方側が閉塞した円形の筒状の形状を有している。第１カラー３１０は、軸カバー１４３をネジＳ１によりフレーム本体１４１に取り付けることで、その内側に第１現像ローラ１２１の第１回転軸１２１Ａの回転軸方向一方側の端部が入り込んでいる。これにより、第１カラー３１０は、第１回転軸１２１Ａの端部を覆っている。また、第２カラー４１０は、回転軸方向一方側が閉塞した略Ｄ字形の筒状の形状を有している。第２カラー４１０は、軸カバー２４３をネジＳ２によりフレーム本体２４１に取り付けることで、その内側に第２現像ローラ２２１の第２回転軸２２１Ａの回転軸方向一方側の端部が入り込んでいる。これにより、第２カラー４１０は、第２回転軸２２１Ａの端部を覆っている。
【００４５】
カラー３１０，４１０は、カップリング１５１，２５１と回転軸方向の同じ側に設けられている。これにより、第１カラー３１０および第２カラー４１０は、第１プロセスカートリッジ１００または第２プロセスカートリッジ２００がレーザプリンタ１に装着された状態において、レーザプリンタ１の回転軸方向の中央に対して回転軸方向の同じ側に設けられている。
【００４６】
図３および図４に示すように、第１現像ローラ１２１の回転軸線Ｃ１２と直交する方向における第１カラー３１０の長さ（直径）Ｌ１１と、第２現像ローラ２２１の回転軸線Ｃ２２と直交する方向における第２カラー４１０の長さ（最大長さ）Ｌ２１とは、互いに異なる。具体的には、第１カラー３１０の長さＬ１１は、第２カラー４１０の長さＬ２１よりも小さい。
【００４７】
図３に示すように、第１凹部３２０は、第１現像ユニット１２０を第１ドラムユニット１１０に装着するときに第１カラー３１０が嵌まる部分である。第１凹部３２０は、第１ドラムユニット１１０に設けられている。また、図４に示すように、第２凹部４２０は、第２現像ユニット２２０を第２ドラムユニット２１０に装着するときに第２カラー４１０が嵌まる部分である。第２凹部４２０は、第２ドラムユニット２１０に設けられている。
【００４８】
ここで、図６（ａ）および図８（ａ）に示すように、ドラムユニット１１０，２１０は、フレーム部材の一例としてのドラムフレーム１６０，２６０を有している。ドラムフレーム１６０，２６０は、感光ドラム１１１，２１１を支持するフレームを構成している。ドラムフレーム１６０，２６０は、回転軸方向の一方側に側壁１６１，２６１を有し、他方側に側壁１６２，２６２を有している。
【００４９】
凹部３２０，４２０は、ドラムユニット１１０，２１０の側壁１６１，２６１に設けられている。図３および図４に示すように、凹部３２０，４２０は、感光ドラム１１１，２１１から離れる方向に向けて開口している。
【００５０】
第１現像ローラ１２１の回転軸線Ｃ１２が延びる方向から見た第１凹部３２０の幅Ｌ１２と、第２現像ローラ２２１の回転軸線Ｃ２２が延びる方向から見た第２凹部４２０の幅Ｌ２２とは、互いに異なる。具体的には、第１凹部３２０の幅Ｌ１２は、第２凹部４２０の幅Ｌ２２よりも小さい。また、第１凹部３２０の幅Ｌ１２は、第１カラー３１０の長さＬ１１と略同じである。また、第２凹部４２０の幅Ｌ２２は、第２カラー４１０の長さＬ２１と略同じである。
【００５１】
なお、図９に示すように、第１現像ユニット１２０の回転軸方向他方側には、第１現像ローラ１２１の第１回転軸１２１Ａ（図５参照）と同軸上に、回転軸方向外側に突出する第３カラー３５０が設けられている。一方、第１ドラムユニット１１０の回転軸方向他方側の側壁１６２には、第１現像ユニット１２０を第１ドラムユニット１１０に装着するときに第３カラー３５０が嵌まる第３凹部３６０が設けられている。
【００５２】
また、同じ図を用いて説明すると、第２現像ユニット２２０の回転軸方向他方側には、第２現像ローラ２２１の第２回転軸２２１Ａ（図７参照）と同軸上に、回転軸方向外側に突出する第４カラー４５０が設けられている。一方、第２ドラムユニット２１０の回転軸方向他方側の側壁２６２には、第２現像ユニット２２０を第２ドラムユニット２１０に装着するときに第４カラー４５０が嵌まる第４凹部４６０が設けられている。
【００５３】
本実施形態では、第１現像ローラ１２１の回転軸線Ｃ１２と直交する方向における第３カラー３５０の直径（最大長さ）と、第２現像ローラ２２１の回転軸線Ｃ２２と直交する方向における第４カラー４５０の直径（最大長さ）とは、略同じである。また、第１現像ローラ１２１の回転軸線Ｃ１２が延びる方向から見た第３凹部３６０の幅と、第２現像ローラ２２１の回転軸線Ｃ２２が延びる方向から見た第４凹部４６０の幅とは、略同じである。
【００５４】
第１プロセスカートリッジ１００では、第１カラー３１０が第１凹部３２０に嵌まり、第３カラー３５０が第３凹部３６０に嵌まることで、第１感光ドラム１１１に対する第１現像ローラ１２１の位置が決まる。また、第２プロセスカートリッジ２００では、第２カラー４１０が第２凹部４２０に嵌まり、第４カラー４５０が第４凹部４６０に嵌まることで、第２感光ドラム２１１に対する第２現像ローラ２２１の位置が決まる。
【００５５】
図３に示すように、第１押圧部材３３０は、第１ドラムユニット１１０に装着された状態の第１現像ユニット１２０を第１感光ドラム１１１に向けて押圧する部材である。第１押圧部材３３０は、第１ドラムユニット１１０に設けられている。また、図４に示すように、第２押圧部材４３０は、第２ドラムユニット２１０に装着された状態の第２現像ユニット２２０を第２感光ドラム２１１に向けて押圧する部材である。第２押圧部材４３０は、第２ドラムユニット２１０に設けられている。
【００５６】
押圧部材３３０，４３０は、ドラムフレーム１６０，２６０の、感光ドラム１１１，２１１側とは反対側の端部に設けられている。また、図６（ａ）および図８（ａ）に示すように、第１押圧部材３３０および第２押圧部材４３０は、それぞれ、回転軸方向の一端側と他端側に１つずつ設けられている。
【００５７】
図１０（ａ）に示すように、第１押圧部材３３０は、第１ブロック３３１と、第１押圧バネ３３２とを有している。また、図１０（ｂ）に示すように、第２押圧部材４３０は、第２ブロック４３１と、第２押圧バネ４３２とを有している。
【００５８】
図６（ａ）および図８（ａ）に示すように、ドラムフレーム１６０，２６０には、押圧部材３３０，４３０を取付可能な押圧部材取付部７０が設けられている。押圧部材取付部７０は、ドラムフレーム１６０，２６０の、感光ドラム１１１，２１１側とは反対側の端部で、回転軸方向の一端側と他端側に１つずつ設けられている。
【００５９】
図６（ｂ）および図８（ｂ）に示すように、押圧部材取付部７０は、一対のガイド壁７１，７１と、連結壁７２とを主に有している。一対のガイド壁７１，７１は、ドラムフレーム１６０，２６０の底壁１６３，２６３から突出して回転軸方向に対向するように設けられている。また、連結壁７２は、一対のガイド壁７１，７１の感光ドラム１１１，２１１側とは反対側の端同士をつないでいる。
【００６０】
押圧部材３３０，４３０は、一対のガイド壁７１，７１の間に取り付けられている。押圧部材取付部７０は、押圧部材３３０，４３０のブロック３３１，４３１を、感光ドラム１１１，２１１に近づく方向と、感光ドラム１１１，２１１から離れる方向とに移動可能に支持している。
【００６１】
各押圧部材取付部７０は、第１押圧部材３３０および第２押圧部材４３０のうちの一方を選択的に取付可能な構成である。具体的には、ドラムフレーム１６０の押圧部材取付部７０は、一対のガイド壁７１，７１の間に、第１押圧部材３３０の第１ブロック３３１を取り付けることができるとともに、第２押圧部材４３０の第２ブロック４３１を取り付けることもできる。ドラムフレーム２６０の押圧部材取付部７０は、一対のガイド壁７１，７１の間に、第２押圧部材４３０の第２ブロック４３１を取り付けることができるとともに、第１押圧部材３３０の第１ブロック３３１を取り付けることもできる。
【００６２】
図１０（ａ）に示すように、第１押圧バネ３３２は、第１ブロック３３１と連結壁７２との間に配置されている。また、図１０（ｂ）に示すように、第２押圧バネ４３２は、第２ブロック４３１と連結壁７２との間に配置されている。押圧バネ３３２，４３２は、第１現像ユニット１２０が第１ドラムユニット１１０に装着されたとき、または、第２現像ユニット２２０が第２ドラムユニット２１０に装着されたときに押し縮められ、ブロック３３１，４３１を被押圧部３４０，４４０に向けて押圧する。第１ブロック３３１は、第１押圧バネ３３２に押圧されることで第１現像ユニット１２０の第１被押圧部３４０に当接する。また、第２ブロック４３１は、第２押圧バネ４３２に押圧されることで第２現像ユニット２２０の第２被押圧部４４０に当接する。第１押圧バネ３３２と第２押圧バネ４３２は、共通部品である。
【００６３】
第１被押圧部３４０は、第１現像ユニット１２０が第１ドラムユニット１１０に装着されたときに、第１押圧部材３３０により第１感光ドラム１１１に向けて押圧される部分である。第１被押圧部３４０は、第１現像ユニット１２０に設けられている。また、第２被押圧部４４０は、第２現像ユニット２２０が第２ドラムユニット２１０に装着されたときに、第２押圧部材４３０により第２感光ドラム２１１に向けて押圧される部分である。第２被押圧部４４０は、第２現像ユニット２２０に設けられている。被押圧部３４０，４４０は、フレーム本体１４１，２４１の回転軸方向両側の側壁に１つずつ設けられている（回転軸方向一方側のみ図示）。
【００６４】
第１プロセスカートリッジ１００では、第１押圧部材３３０により第１被押圧部３４０が第１感光ドラム１１１に向けて押圧されることで、第１現像ローラ１２１が第１感光ドラム１１１に押圧された状態で接触する。また、第２プロセスカートリッジ２００では、第２押圧部材４３０により第２被押圧部４４０が第２感光ドラム２１１に向けて押圧されることで、第２現像ローラ２２１が第２感光ドラム２１１に押圧された状態で接触する。
【００６５】
図３および図４に示すように、第１感光ドラム１１１の回転軸線Ｃ１１（回転中心）から第１押圧部材３３０までの距離Ｌ１３と、第２感光ドラム２１１の回転軸線Ｃ２１（回転中心）から第２押圧部材４３０までの距離Ｌ２３とは、互いに異なる。具体的には、距離Ｌ２３は、距離Ｌ１３よりも小さい。
【００６６】
さらに言えば、第２現像ローラ２２１の回転軸線Ｃ２２（回転中心）から第２押圧部材４３０までの距離Ｌ２４は、第１現像ローラ１２１の回転軸線Ｃ１２（回転中心）から第１押圧部材３３０までの距離Ｌ１４よりも小さい。
【００６７】
これは、図１０（ａ），（ｂ）に示すように、第２押圧部材４３０（第２ブロック４３１）の第２被押圧部４４０を押圧する第２押圧面４３１Ａが、第１押圧部材３３０（第１ブロック３３１）の第１被押圧部３４０を押圧する第１押圧面３３１Ａよりも、第２感光ドラム２１１側に位置しているためである。
【００６８】
本実施形態において、第２押圧部材４３０が第２被押圧部４４０を押圧する方向における第２押圧部材４３０の長さＬ４３は、第１押圧部材３３０が第１被押圧部３４０を押圧する方向における第１押圧部材３３０の長さＬ３３よりも大きい。一方、第１感光ドラム１１１の回転軸線Ｃ１１から第１押圧部材３３０（第１ブロック３３１）のバネ当接面３３１Ｂまでの距離と、第２感光ドラム２１１の回転軸線Ｃ２１から第２押圧部材４３０（第２ブロック４３１）のバネ当接面４３１Ｂまでの距離とは、略同じである。なお、バネ当接面３３１Ｂ，４３１Ｂは、押圧バネ３３２，４３２の感光ドラム１１１，２１１側の端部が当接可能な面である。
【００６９】
また、図３および図４に示すように、第１現像ローラ１２１の回転軸線Ｃ１２から第１被押圧部３４０の第１感光ドラム１１１側とは反対側の端（第１端部３４０Ａ）までの距離Ｌ１５と、第２現像ローラ２２１の回転軸線Ｃ２２から第２被押圧部４４０の第１感光ドラム１１１側とは反対側の端（第１端部４４０Ａ）までの距離Ｌ２５とは、互いに異なる。具体的には、距離Ｌ２５は、距離Ｌ１５よりも小さい。
【００７０】
これは、図１０（ａ），（ｂ）に示すように、第２被押圧部４４０の第１端部４４０Ａが、第１被押圧部３４０の第１端部３４０Ａよりも、第２感光ドラム２１１側に位置しているためである。
【００７１】
本実施形態において、第２押圧部材４３０が第２被押圧部４４０を押圧する方向における第２被押圧部４４０の長さＬ４４は、第１押圧部材３３０が第１被押圧部３４０を押圧する方向における第１被押圧部３４０の長さＬ３４よりも小さい。一方、第１現像ローラ１２１の回転軸線Ｃ１２から第１被押圧部３４０の第１感光ドラム１１１側の端（第２端部３４０Ｂ）までの距離と、第２現像ローラ２２１の回転軸線Ｃ２２から第２被押圧部４４０の第１感光ドラム１１１側の端（第２端部４４０Ｂ）までの距離とは、略同じである。
【００７２】
第２ドラムユニット２１０に第２現像ユニット２２０が装着されていない状態（すなわち、第２押圧バネ４３２が自然長である状態）で、第２現像ローラ２２１の回転軸線Ｃ２２と同じ位置から第２押圧部材４３０までの距離Ｌ２４は、第１現像ユニット１２０の第１現像ローラ１２１の回転軸線Ｃ１２から第１被押圧部３４０の第１端部３４０Ａまでの距離Ｌ１５よりも小さい。
【００７３】
図３に示すように、第１プロセスカートリッジ１００は、第１ロック部材１８０を有している。第１ロック部材１８０は、第１ドラムユニット１１０に装着された第１現像ユニット１２０を、第１ドラムユニット１１０にロックするための部材である。第１ロック部材１８０は、第１ドラムユニット１１０に設けられている。
【００７４】
図１１（ａ）に示すように、第１ロック部材１８０は、ドラムフレーム１６０に回動可能に係合する軸受部１８１と、ロック部１８２と、リフト部１８３とを主に有している。第１ロック部材１８０は、第１現像ユニット１２０を第１ドラムユニット１１０にロックするロック位置と、ロックを解除する解除位置との間で回動可能である。
【００７５】
ロック部１８２は、ロック位置にあるときに、現像ユニット１２０の現像フレーム１４０に設けられた被係合部１４６に係合する。これにより、第１現像ユニット１２０が第１ドラムユニット１１０から外れるのが抑制される。図１１（ｂ）に示すように、第１ロック部材１８０をロック位置から解除位置に回動させると、ロック部１８２と被係合部１４６との係合が解除されるとともに、リフト部１８３の先端部が現像ユニット１２０を押し上げる。これにより、第１現像ユニット１２０を第１ドラムユニット１１０から取り外すことが可能となる。
【００７６】
図４に示すように、第２プロセスカートリッジ２００は、第２ロック部材２８０を有している。第２ロック部材２８０は、第２現像ユニット２２０に装着されたトナーカートリッジ２３０を、第２現像ユニット２２０にロックするための部材である。第２ロック部材２８０は、第２ドラムユニット２１０ではなく、第２現像ユニット２２０に設けられている。
【００７７】
図１２（ａ）に示すように、第２ロック部材２８０は、現像フレーム２４０に回動可能に係合する軸受部２８１と、ロック部２８２と、リフト部２８３とを主に有している。第２ロック部材２８０は、トナーカートリッジ２３０を第２現像ユニット２２０にロックするロック位置と、ロックを解除する解除位置との間で回動可能である。
【００７８】
ロック部２８２は、ロック位置にあるときに、トナーカートリッジ２３０の筐体２３１に設けられた被係合部２３６に係合する。これにより、トナーカートリッジ２３０が第２現像ユニット２２０から外れるのが抑制される。図１２（ｂ）に示すように、第２ロック部材２８０をロック位置から解除位置に回動させると、ロック部２８２と被係合部２３６との係合が解除されるとともに、リフト部２８３の先端部がトナーカートリッジ２３０の被係合部２３６を押し上げる。これにより、トナーカートリッジ２３０を第２現像ユニット２２０から取り外すことが可能となる。
【００７９】
ロック部材１８０，２８０は、ロックする対象が、現像ユニット１２０とトナーカートリッジ２３０で異なる。そのため、ロック部材１８０，２８０は、設けられる位置が異なる。
【００８０】
詳しくは、図３および図４に示すように、第１感光ドラム１１１の回転軸線Ｃ１１から第１ロック部材１８０までの距離Ｌ１８と、第２感光ドラム２１１の回転軸線Ｃ２１から第２ロック部材２８０までの距離Ｌ２８とは、互いに異なる。具体的には、距離Ｌ２８は、距離Ｌ１８よりも大きい。すなわち、第２ロック部材２８０は、第１ロック部材１８０よりも、対応する感光ドラム１１１，２１１の回転軸線Ｃ１１，Ｃ２１から離れた位置に設けられている。
【００８１】
図６に示すように、第１ドラムユニット１１０は、第１ドラムシャフト１１１Ａと、ドラムフレーム１６０に設けられた第１ガイド突起１６６とを有している。また、図８に示すように、第２ドラムユニット２１０は、第２ドラムシャフト２１１Ａと、ドラムフレーム２６０に設けられた第２ガイド突起２６６とを有している。
【００８２】
第１ドラムシャフト１１１Ａは、第１感光ドラム１１１の回転軸線Ｃ１１に沿って延びている。また、第２ドラムシャフト２１１Ａは、第２感光ドラム２１１の回転軸線Ｃ２１に沿って延びている。ドラムシャフト１１１Ａ，２１１Ａは、対応する感光ドラム１１１，２１１の内側を通すように配置されている。
【００８３】
第１ガイド突起１６６は、第１プロセスカートリッジ１００をレーザプリンタ１に着脱するときに、レーザプリンタ１の着脱ガイド２６（図３参照）にガイドされる突起である。第１ガイド突起１６６は、ドラムフレーム１６０の第１感光ドラム１１１側とは反対側の端部で、回転軸方向の一端側と他端側に１つずつ設けられている（一方のみ図示）。具体的には、第１ガイド突起１６６は、側壁１６１，１６２から第１ドラムシャフト１１１Ａが延びる方向に沿って回転軸方向外側に突出している。
【００８４】
また、第２ガイド突起２６６は、第２プロセスカートリッジ２００をレーザプリンタ１に着脱するときに、レーザプリンタ１の着脱ガイド２６（図４参照）にガイドされる突起である。第２ガイド突起２６６は、ドラムフレーム２６０の第２感光ドラム２１１側とは反対側の端部で、回転軸方向の一端側と他端側に１つずつ設けられている（一方のみ図示）。具体的には、第２ガイド突起２６６は、側壁２６１，２６２から第２ドラムシャフト２１１Ａが延びる方向に沿って回転軸方向外側に突出している。
【００８５】
図３および図４に示すように、着脱ガイド２６は、ガイドの一例である。着脱ガイド２６は、第１プロセスカートリッジ１００をレーザプリンタ１に着脱するときに、第１プロセスカートリッジ１００の第１ガイド突起１６６をガイドする。また、着脱ガイド２６は、第２プロセスカートリッジ２００をレーザプリンタ１に着脱するときに、第２プロセスカートリッジ２００の第２ガイド突起２６６をガイドする。着脱ガイド２６は、本体筐体２内で、感光ドラム１１１，２１１の回転軸線Ｃ１１，Ｃ２１が延びる方向におけるプロセスカートリッジ１００，２００の両側に設けられている（一方のみ図示）。
【００８６】
本実施形態において、第１ドラムシャフト１１１Ａの中心（回転軸線Ｃ１１）から第１ガイド突起１６６までの距離Ｌ１６と、第２ドラムシャフト２１１Ａの中心（回転軸線Ｃ２１）から第２ガイド突起２６６までの距離Ｌ２６とは、等しくなっている。
【００８７】
以上説明した本実施形態によれば、例えば、図４に示す第２現像ユニット２２０を、図３に示す第１ドラムユニット１１０に装着しようとしたときには、第１凹部３２０の幅Ｌ１２が第２カラー４１０の長さＬ２１よりも小さいので、第２カラー４１０と第１凹部３２０の開口付近とが干渉する。これにより、第２カラー４１０を第１凹部３２０に嵌めることができないので、第２現像ユニット２２０の第１ドラムユニット１１０への誤装着を防ぐことができる。
【００８８】
一方、図３に示す第１現像ユニット１２０を、図４に示す第２ドラムユニット２１０に装着しようとしたときには、第２凹部４２０の幅Ｌ２２が第１カラー３１０の長さＬ１１よりも大きいので、第１カラー３１０は第２凹部４２０に入り込む。これにより、第１現像ローラ１２１が第２感光ドラム２１１に接触可能となる。一方で、第１現像ローラ１２１の回転軸線Ｃ１２から第１被押圧部３４０の第１端部３４０Ａまでの距離Ｌ１５が、第２現像ローラ２２１の回転軸線Ｃ２２から第２押圧部材４３０までの距離Ｌ２４よりも大きいので、第１被押圧部３４０と第２押圧部材４３０（第２ブロック４３１）とが干渉する。これにより、第１現像ユニット１２０を第２ドラムユニット２１０にそれ以上装着することができないので、第１現像ユニット１２０の第２ドラムユニット２１０への誤装着を防ぐことができる。
【００８９】
このように本実施形態の構成によれば、カラー３１０，４１０と押圧部材３３０，４３０（特に第２カラー４１０と第２押圧部材４３０）を利用して、交換部品としての現像ユニット１２０，２２０の種類を識別することができる。
【００９０】
また、第１ドラムユニット１１０および第２ドラムユニット２１０が、第１押圧部材３３０および第２押圧部材４３０のうちの一方を選択的に取付可能な押圧部材取付部７０が設けられたドラムフレーム１６０，２６０を有するので、第１ドラムユニット１１０と第２ドラムユニット２１０との間でドラムフレーム１６０，２６０の少なくとも一部を共通化することができる。
【００９１】
本実施形態の画像形成システムＡは、干渉機構１０を備えることで、第１現像ユニット１２０の第２ドラムユニット２１０への誤装着、および、第２現像ユニット２２０の第１ドラムユニット１１０への誤装着を防ぐことができる。また、干渉機構１０により誤装着を防げることで、構成要素が異なるプロセスカートリッジ１００，２００の間で、干渉機構１０以外の部品、例えば、感光ドラム１１１，２１１、現像ローラ１２１，２２１、ドラムフレーム１６０，２６０の少なくとも一部などを共通化することができる。
【００９２】
また、第１カラー３１０が第１現像ローラ１２１の第１回転軸１２１Ａの端部を覆っているので、第１カラー３１０が第１凹部３２０に嵌まったときに第１現像ローラ１２１の位置を決めることができる。また、第２カラー４１０が第２現像ローラ２２１の第２回転軸２２１Ａの端部を覆っているので、第２カラー４１０が第２凹部４２０に嵌まったときに第２現像ローラ２２１の位置を決めることができる。
【００９３】
言い換えると、本実施形態の干渉機構１０は、誤装着を防ぐために、単に干渉するだけの機構ではない。すなわち、前述したとおり、干渉機構１０を構成するカラー３１０，４１０と凹部３２０，４２０は、現像ローラ１２１，２２１の位置を決める機構を兼ねている。また、干渉機構１０を構成する押圧部材３３０，４３０と被押圧部３４０，４４０は、現像ローラ１２１，２２１を感光ドラム１１１，２１１に向けて押圧する機構を兼ねている。
【００９４】
また、第１感光ドラム１１１の回転軸線Ｃ１１から第１ロック部材１８０までの距離Ｌ１８と、第２感光ドラム２１１の回転軸線Ｃ２１から第２ロック部材２８０までの距離Ｌ２８とが、互いに異なるので、ロックする対象に応じた最適な位置にロック部材１８０，２８０を配置することができる。
【００９５】
以上、実施形態について説明したが、本発明は前記実施形態に限定されるものではない。具体的な構成については、下記のように発明の趣旨を逸脱しない範囲で適宜変更が可能である。
【００９６】
例えば、干渉機構は、第１カラー３１０、第１凹部３２０、第２カラー４１０および第２凹部４２０からなり、押圧部材３３０，４３０および被押圧部３４０，４４０を備えない構成であってもよい。これによれば、第２現像ユニット２２０の第２カラー４１０と第１ドラムユニット１１０の第１凹部３２０との干渉により、第２現像ユニット２２０を第１ドラムユニット１１０に装着不能とすることができる。
【００９７】
また、干渉機構が、カラー３１０，４１０および凹部３２０，４２０からなる場合、第１カラー３１０および第１凹部３２０は、第１プロセスカートリッジ１００の回転軸方向両側に１つずつ対象に設けられていてもよい。また、第２カラー４１０および第２凹部４２０についても、第２プロセスカートリッジ２００の回転軸方向両側に１つずつ対象に設けられていてもよい。
【００９８】
また、干渉機構は、第１カラー３１０、第１凹部３２０、第３カラー３５０、第３凹部３６０、第２カラー４１０、第２凹部４２０、第４カラー４５０および第４凹部４６０からなる構成であってもよい。
【００９９】
この場合、第１現像ローラ１２１の回転軸線Ｃ１２と直交する方向における第３カラー３５０の直径と、第２現像ローラ２２１の回転軸線Ｃ２２と直交する方向における第４カラー４５０の直径とは、互いに異なっていてもよい。また、第１現像ローラ１２１の回転軸線Ｃ１２が延びる方向から見た第３凹部３６０の幅と、第２現像ローラ２２１の回転軸線Ｃ２２が延びる方向から見た第４凹部４６０の幅とは、互いに異なっていてもよい。
【０１００】
一例として、第３カラー３５０の直径が第４カラー４５０の直径よりも大きく、第３凹部３６０の幅が第４凹部４６０の幅よりも大きくてもよい。このような構成によれば、第２現像ユニット２２０を第１ドラムユニット１１０に装着しようとした場合には、回転軸方向一方側において、第２カラー４１０が第１凹部３２０に嵌まらないことにより誤装着を防ぐことができる。一方で、第１現像ユニット１２０を第２ドラムユニット２１０に装着しようとした場合には、回転軸方向他方側において、第３カラー３５０が第４凹部４６０に嵌まらないことにより誤装着を防ぐことができる。
【０１０１】
また、第１カラー３１０および第２カラー４１０は、その全体が筒状の形状であってもよい。すなわち、第１カラー３１０および第２カラー４１０は、軸方向一方側が閉塞した構造ではなく、回転軸方向に貫通した構造であってもよい。
【０１０２】
また、干渉機構は、第１押圧部材３３０、第１被押圧部３４０、第２押圧部材４３０および第２被押圧部４４０からなり、カラー３１０，４１０および凹部３２０，４２０を備えない構成であってもよい。これによれば、第１現像ユニット１２０の第１被押圧部３４０と第２ドラムユニット２１０の第２押圧部材４３０との干渉により、第１現像ユニット１２０を第２ドラムユニット２１０に装着不能とすることができる。
【０１０３】
また、第２プロセスカートリッジは、第２現像ユニットが第２ドラムユニットに着脱可能な構成であってもよい。また、第２プロセスカートリッジは、工場での組み立ての際、第２現像ユニットを第２ドラムユニットに装着した後に、第２ドラムユニットと第２現像ユニットとが分離できないように固定してもよい。第１プロセスカートリッジについても同様である。
【０１０４】
また、画像形成装置本体は、用紙Ｓにモノクロ画像を形成するレーザプリンタ１に限定されない。例えば、用紙にカラー画像を形成可能なプリンタであってもよい。また、画像形成装置本体は、プリンタに限定されない。例えば、原稿読取装置を備える複写機または複合機であってもよい。
【０１０５】
また、画像形成システムは、画像形成装置本体と、画像形成装置本体に選択的に着脱可能な３種類以上のプロセスカートリッジとから構成されていてもよい。
【０１０６】
また、前記した実施形態および変形例で説明した各要素を、任意に組み合わせて実施してもよい。
【符号の説明】
【０１０７】
１      レーザプリンタ
２６    着脱ガイド
７０    押圧部材取付部
１００  第１プロセスカートリッジ
１１０  第１ドラムユニット
１１１  第１感光ドラム
１１１Ａ  第１ドラムシャフト
１２０  第１現像ユニット
１２１  第１現像ローラ
１２１Ａ  第１回転軸
１２４  第１収容部
１６０  ドラムフレーム
１６６  第１ガイド突起
１８０  第１ロック部材
２００  第２プロセスカートリッジ
２１０  第２ドラムユニット
２１１  第２感光ドラム
２１１Ａ  第２ドラムシャフト
２２０  第２現像ユニット
２２１  第２現像ローラ
２２１Ａ  第２回転軸
２３０  トナーカートリッジ
２３１  筐体
２３２  開口
２３４  第２収容部
２３５  アジテータ
２６０  ドラムフレーム
２６６  第２ガイド突起
２８０  第２ロック部材
３１０  第１カラー
３２０  第１凹部
３３０  第１押圧部材
３３１  第１ブロック
３３２  第１押圧バネ
３４０  第１被押圧部
４１０  第２カラー
４２０  第２凹部
４３０  第２押圧部材
４３１  第２ブロック
４３２  第２押圧バネ
４４０  第２被押圧部
Ａ      画像形成システム
【図１】
2018097293.tif 000003
【図２】
2018097293.tif 000004
【図３】
2018097293.tif 000005
【図４】
2018097293.tif 000006
【図５】
2018097293.tif 000007
【図６】
2018097293.tif 000008
【図７】
2018097293.tif 000009
【図８】
2018097293.tif 000010
【図９】
2018097293.tif 000011
【図１０】
2018097293.tif 000012
【図１１】
2018097293.tif 000013
【図１２】
2018097293.tif 000014